(57)【要約】内燃機関において、機関排気通路内に炭化水素供給弁（１５）と、排気浄化触媒（１３）とが配置される。排気浄化触媒（１３）上には白金Ｐｔ（５１）が担持されており、塩基性層（５３）が形成されている。機関運転時に排気浄化触媒（１３）に流入する炭化水素の濃度を予め定められた振幅（ΔＨＡ）および予め定められた周期（ΔＴＡ）でもって変化させる主濃度変化作用が行われ、更に各主濃度変化作用が行われる前に各主濃度変化作用時の振幅（ΔＨＡ）よりも小さな振幅（ΔＨＢ）でもって炭化水素濃度を変化させる予備濃度変化作用が行われる。
2012029189.tif 000002
【特許請求の範囲】
【請求項１】
機関排気通路内に排気ガス中に含まれるＮＯＸと改質された炭化水素とを反応させるための排気浄化触媒を配置し、該排気浄化触媒の排気ガス流通表面上には貴金属触媒が担持されていると共に該貴金属触媒周りには塩基性の排気ガス流通表面部分が形成されており、該排気浄化触媒は、排気浄化触媒に流入する炭化水素の濃度を予め定められた範囲内の振幅および予め定められた範囲内の周期でもって変化させると排気ガス中に含まれるＮＯＸを還元する性質を有すると共に、該炭化水素濃度の振動周期を該予め定められた範囲よりも長くすると排気ガス中に含まれるＮＯＸの吸蔵量が増大する性質を有しており、機関運転時に排気浄化触媒に流入する炭化水素の濃度を上記予め定められた範囲内の振幅および上記予め定められた範囲内の周期でもって変化させる主濃度変化作用を行わせ、更に各主濃度変化作用が行われる前に各主濃度変化作用時の振幅よりも小さな振幅でもって炭化水素濃度を変化させる予備濃度変化作用を行わせるようにした内燃機関の排気浄化装置。
【請求項２】
該予備濃度変化作用は排気浄化触媒に流入する排気ガスの空燃比をリーンに維持しつつ行われる請求項１に記載の内燃機関の排気浄化装置。
【請求項３】
該予備濃度変化作用は各主濃度変化作用が行われる予め定められた一定時間前に行われる請求項１に記載の内燃機関の排気浄化装置。
【請求項４】
上記主濃度変化作用の行われる周期は排気浄化触媒の温度が高くなるほど短かくされる請求項１に記載の内燃機関の排気浄化装置。
【請求項５】
上記排気浄化触媒内において排気ガス中に含まれるＮＯＸと改質された炭化水素とが反応して窒素および炭化水素を含む還元性中間体が生成され、該主濃度変化作用による炭化水素濃度の変化周期は還元性中間体を生成し続けるのに必要な変化周期である請求項１に記載の内燃機関の排気浄化装置。
【請求項６】
該主濃度変化作用による炭化水素濃度の変化周期が０．３秒から５秒の間である請求項５に記載の内燃機関の排気浄化装置。
【請求項７】
上記貴金属触媒は白金Ｐｔと、ロジウムＲｈおよびパラジウムＰｄの少くとも一方とにより構成される請求項１に記載の内燃機関の排気浄化装置。
【請求項８】
上記排気浄化触媒の排気ガス流通表面上にアルカリ金属又はアルカリ土類金属又は希土類又はＮＯＸに電子を供与しうる金属を含む塩基性層が形成されており、該塩基性層の表面が上記塩基性の排気ガス流通表面部分を形成している請求項１に記載の内燃機関の排気浄化装置。
【発明の詳細な説明】
【技術分野】
【０００１】
本発明は内燃機関の排気浄化装置に関する。
【背景技術】
【０００２】
機関排気通路内に、流入する排気ガスの空燃比がリーンのときには排気ガス中に含まれるＮＯＸを吸蔵し流入する排気ガスの空燃比がリッチになると吸蔵したＮＯＸを放出するＮＯＸ吸蔵触媒を配置し、ＮＯＸ吸蔵触媒上流の機関排気通路内に吸着機能を有する酸化触媒を配置し、ＮＯＸ吸蔵触媒からＮＯＸを放出すべきときには酸化触媒上流の機関排気通路内に炭化水素を供給してＮＯＸ吸蔵触媒に流入する排気ガスの空燃比をリッチにするようにした内燃機関が公知である（例えば特許文献１を参照）。
この内燃機関ではＮＯＸ吸蔵触媒からＮＯＸを放出すべきときに供給された炭化水素が酸化触媒においてガス状の炭化水素とされ、ガス状の炭化水素がＮＯＸ吸蔵触媒に送り込まれる。その結果、ＮＯＸ吸蔵触媒から放出されたＮＯＸが良好に還元せしめられることになる。
【先行技術文献】
【特許文献】
【０００３】
【特許文献１】特許第３９６９４５０号
【発明の概要】
【発明が解決しようとする課題】
【０００４】
しかしながらＮＯＸ吸蔵触媒は高温になるとＮＯＸ浄化率が低下するという問題がある。
本発明の目的は、排気浄化触媒の温度が高温になっても高いＮＯＸ浄化率を得ることのできる内燃機関の排気浄化装置を提供することにある。
【課題を解決するための手段】
【０００５】
本発明によれば、機関排気通路内に排気ガス中に含まれるＮＯＸと改質された炭化水素とを反応させるための排気浄化触媒を配置し、排気浄化触媒の排気ガス流通表面上には貴金属触媒が担持されていると共に貴金属触媒周りには塩基性の排気ガス流通表面部分が形成されており、排気浄化触媒は、排気浄化触媒に流入する炭化水素の濃度を予め定められた範囲内の振幅および予め定められた範囲内の周期でもって変化させると排気ガス中に含まれるＮＯＸを還元する性質を有すると共に、炭化水素濃度の振動周期を予め定められた範囲よりも長くすると排気ガス中に含まれるＮＯＸの吸蔵量が増大する性質を有しており、機関運転時に排気浄化触媒に流入する炭化水素の濃度を予め定められた範囲内の振幅および予め定められた範囲内の周期でもって変化させる主濃度変化作用を行わせ、更に各主濃度変化作用が行われる前に各主濃度変化作用時の振幅よりも小さな振幅でもって炭化水素濃度を変化させる予備濃度変化作用を行わせるようにした内燃機関の排気浄化装置が提供される。
【発明の効果】
【０００６】
排気浄化触媒の温度が高温になっても高いＮＯＸ浄化率を得ることができる。
【図面の簡単な説明】
【０００７】
図１は圧縮着火式内燃機関の全体図である。
図２は触媒担体の表面部分を図解的に示す図である。
図３は排気浄化触媒における酸化反応を説明するための図である。
図４は排気浄化触媒への流入排気ガスの空燃比の変化を示す図である。
図５はＮＯＸ浄化率を示す図である。
図６Ａおよび６Ｂは排気浄化触媒における酸化還元反応を説明するための図である。
図７Ａおよび７Ｂは排気浄化触媒における酸化還元反応を説明するための図である。
図８は排気浄化触媒への流入排気ガスの空燃比の変化を示す図である。
図９はＮＯＸ浄化率を示す図である。
図１０は排気浄化触媒への流入排気ガスの空燃比の変化を示すタイムチャートである。
図１１は排気浄化触媒への流入排気ガスの空燃比の変化を示すタイムチャートである。
図１２は排気浄化触媒の酸化力と要求最小空燃比Ｘとの関係を示す図である。
図１３は同一のＮＯＸ浄化率の得られる、排気ガス中の酸素濃度と炭化水素濃度の振幅ΔＨとの関係を示す図である。
図１４は炭化水素濃度の振幅ΔＨとＮＯＸ浄化率との関係を示す図である。
図１５は炭化水素濃度の振動周期ΔＴとＮＯＸ浄化率との関係を示す図である。
図１６Ａおよび１６Ｂは炭化水素供給量ＷＡ，ＷＢのマップを示す図である。
図１７Ａ，１７Ｂおよび１７Ｃは主濃度変化作用時における炭化水素の供給周期ΔＴＡ等を示す図である。
図１８は排気浄化触媒への流入排気ガスの空燃比の変化等を示す図である。
図１９は排出ＮＯＸ量ＮＯＸＡのマップを示す図である。
図２０は燃料噴射時期を示す図である。
図２１は炭化水素供給量ＷＲのマップを示す図である。
図２２はＮＯＸ浄化率とＮＯＸ吸蔵率を示す図である。
図２３はＮＯＸ浄化制御を行うためのフローチャートである。
【発明を実施するための形態】
【０００８】
図１に圧縮着火式内燃機関の全体図を示す。
図１を参照すると、１は機関本体、２は各気筒の燃焼室、３は各燃焼室２内に夫々燃料を噴射するための電子制御式燃料噴射弁、４は吸気マニホルド、５は排気マニホルドを夫々示す。吸気マニホルド４は吸気ダクト６を介して排気ターボチャージャ７のコンプレッサ７ａの出口に連結され、コンプレッサ７ａの入口は吸入空気量検出器８を介してエアクリーナ９に連結される。吸気ダクト６内にはステップモータにより駆動されるスロットル弁１０が配置され、更に吸気ダクト６周りには吸気ダクト６内を流れる吸入空気を冷却するための冷却装置１１が配置される。図１に示される実施例では機関冷却水が冷却装置１１内に導かれ、機関冷却水によって吸入空気が冷却される。
一方、排気マニホルド５は排気ターボチャージャ７の排気タービン７ｂの入口に連結される。排気タービン７ｂの出口は排気管１２を介して排気浄化触媒１３の入口に連結され、排気浄化触媒１３の出口は排気ガス中に含まれる微粒子を捕集するためのパティキュレートフィルタ１４に連結される。排気浄化触媒１３上流の排気管１２内には圧縮着火式内燃機関の燃料として用いられる軽油その他の燃料からなる炭化水素を供給するための炭化水素供給弁１５が配置される。図１に示される実施例では炭化水素供給弁１５から供給される炭化水素として軽油が用いられている。なお、本発明はリーン空燃比のもとで燃焼の行われる火花点火式内燃機関にも適用することができる。この場合、炭化水素供給弁１５からは火花点火式内燃機関の燃料として用いられるガソリンその他の燃料からなる炭化水素が供給される。
一方、排気マニホルド５と吸気マニホルド４とは排気ガス再循環（以下、ＥＧＲと称す）通路１６を介して互いに連結され、ＥＧＲ通路１６内には電子制御式ＥＧＲ制御弁１７が配置される。また、ＥＧＲ通路１６周りにはＥＧＲ通路１６内を流れるＥＧＲガスを冷却するための冷却装置１８が配置される。図１に示される実施例では機関冷却水が冷却装置１８内に導かれ、機関冷却水によってＥＧＲガスが冷却される。一方、各燃料噴射弁３は燃料供給管１９を介してコモンレール２０に連結され、このコモンレール２０は電子制御式の吐出量可変な燃料ポンプ２１を介して燃料タンク２２に連結される。燃料タンク２２内に貯蔵されている燃料は燃料ポンプ２１によってコモンレール２０内に供給され、コモンレール２０内に供給された燃料は各燃料供給管１９を介して燃料噴射弁３に供給される。
電子制御ユニット３０はデジタルコンピュータからなり、双方向性バス３１によって互いに接続されたＲＯＭ（リードオンリメモリ）３２、ＲＡＭ（ランダムアクセスメモリ）３３、ＣＰＵ（マイクロプロセッサ）３４、入力ポート３５および出力ポート３６を具備する。排気浄化触媒１３の下流には排気浄化触媒１３の温度を検出するための温度センサ２３が取付けられており、パティキュレートフィルタ１４にはパティキュレートフィルタ１４の前後の差圧を検出するための差圧センサ２４が取付けられている。また、排気マニホルド５の集合部には空燃比センサ２５が配置されている。これら温度センサ２３、差圧センサ２４、空燃比センサ２５および吸入空気量検出器８の出力信号は夫々対応するＡＤ変換器３７を介して入力ポート３５に入力される。また、アクセルペダル４０にはアクセルペダル４０の踏込み量Ｌに比例した出力電圧を発生する負荷センサ４１が接続され、負荷センサ４１の出力電圧は対応するＡＤ変換器３７を介して入力ポート３５に入力される。更に入力ポート３５にはクランクシャフトが例えば１５°回転する毎に出力パルスを発生するクランク角センサ４２が接続される。一方、出力ポート３６は対応する駆動回路３８を介して燃料噴射弁３、スロットル弁１０の駆動用ステップモータ、炭化水素供給弁１５、ＥＧＲ制御弁１７および燃料ポンプ２１に接続される。
図２は排気浄化触媒１３の基体上に担持された触媒担体の表面部分を図解的に示している。この排気浄化触媒１３では図２に示されるように例えばアルミナからなる触媒担体５０上には貴金属触媒５１，５２が担持されており、更にこの触媒担体５０上にはカリウムＫ、ナトリウムＮａ、セシウムＣｓのようなアルカリ金属、バリウムＢａ、カルシウムＣａのようなアルカリ土類金属、ランタノイドのような希土類および銀Ａｇ、銅Ｃｕ、鉄Ｆｅ、イリジウムＩｒのようなＮＯＸに電子を供与しうる金属から選ばれた少くとも一つを含む塩基性層５３が形成されている。排気ガスは触媒担体５０上に沿って流れるので貴金属触媒５１，５２は排気浄化触媒１３の排気ガス流通表面上に担持されていると言える。また、塩基性層５３の表面は塩基性を呈するので塩基性層５３の表面は塩基性の排気ガス流通表面部分５４と称される。
一方、図２において貴金属触媒５１は白金Ｐｔからなり、貴金属触媒５２はロジウムＲｈからなる。即ち、触媒担体５０に担持されている貴金属触媒５１，５２は白金ＰｔおよびロジウムＲｈから構成されている。なお、排気浄化触媒１３の触媒担体５０上には白金ＰｔおよびロジウムＲｈに加えて更にパラジウムＰｄを担持させることができるし、或いはロジウムＲｈに代えてパラジウムＰｄを担持させることができる。即ち、触媒担体５０に担持されている貴金属触媒５１，５２は白金Ｐｔと、ロジウムＲｈおよびパラジウムＰｄの少なくとも一方とにより構成される。
炭化水素供給弁１５から排気ガス中に炭化水素が噴射されるとこの炭化水素は排気浄化触媒１３において改質される。本発明ではこのとき改質された炭化水素を用いて排気浄化触媒１３においてＮＯＸを浄化するようにしている。図３はこのとき排気浄化触媒１３において行われる改質作用を図解的に示している。図３に示されるように炭化水素供給弁１５から噴射された炭化水素ＨＣは触媒５１によって炭素数の少ないラジカル状の炭化水素ＨＣとなる。
なお、燃料噴射弁３から燃焼室２内に燃料、即ち炭化水素を膨張行程の後半或いは排気行程中に噴射してもこの炭化水素は燃焼室２内又は排気浄化触媒１３において改質され、排気ガス中に含まれるＮＯＸはこの改質された炭化水素によって排気浄化触媒１３で浄化される。従って本発明では炭化水素供給弁１５から機関排気通路内に炭化水素を供給する代りに、膨張行程の後半或いは排気行程中に燃焼室２内に炭化水素を供給することもできる。このように本発明では炭化水素を燃焼室２内に供給することもできるが、以下炭化水素を炭化水素供給弁１５から機関排気通路内に噴射するようにした場合を例にとって本発明を説明する。
図４は炭化水素供給弁１５からの予備炭化水素および主炭化水素の供給タイミングと排気浄化触媒１３への流入排気ガスの空燃比（Ａ／Ｆ）ｉｎの変化とを示している。なお、この空燃比（Ａ／Ｆ）ｉｎの変化は排気浄化触媒１３に流入する排気ガス中の炭化水素の濃度変化に依存しているので図４に示される空燃比（Ａ／Ｆ）ｉｎの変化は炭化水素の濃度変化を表しているとも言える。ただし、炭化水素濃度が高くなると空燃比（Ａ／Ｆ）ｉｎは小さくなるので図４においては空燃比（Ａ／Ｆ）ｉｎがリッチ側となるほど炭化水素濃度が高くなっている。
図５は、排気浄化触媒１３に流入する炭化水素の濃度を周期的に変化させることによって図４に示されるように排気浄化触媒１３への流入排気ガスの空燃比（Ａ／Ｆ）ｉｎを変化させたときの排気浄化触媒１３によるＮＯＸ浄化率を排気浄化触媒１３の各触媒温度ＴＣに対して示している。本発明者等は長い期間に亘ってＮＯＸ浄化に関する研究を重ねており、その研究課程において、排気浄化触媒１３に流入する炭化水素の濃度を予め定められた範囲内の振幅および予め定められた範囲内の周期でもって振動させると、図５に示されるように４００℃以上の高温領域においても極めて高いＮＯＸ浄化率が得られることが判明したのである。
更にこのときには窒素および炭化水素を含む多量の還元性中間体が塩基性層５３の表面上に、即ち排気浄化触媒１３の塩基性排気ガス流通表面部分５４上に保持又は吸着され続けており、この還元性中間体が高ＮＯＸ浄化率を得る上で中心的役割を果していることが判明したのである。この場合、主炭化水素が還元性中間体の生成に中心的役割を果しており、予備炭化水素は中間体の生成に関して補助的な役割を果している。従ってまず初めに図６Ａおよび６Ｂを参照しつつ主炭化水素によるＮＯＸ浄化作用について説明する。なお、これら図６Ａおよび６Ｂは排気浄化触媒１３の触媒担体５０の表面部分を図解的に示しており、これら図６Ａおよび６Ｂには排気浄化触媒１３に流入する主炭化水素の濃度が予め定められた範囲内の振幅および予め定められた範囲内の周期でもって振動せしめたときに生ずると推測される反応が示されている。
図６Ａは排気浄化触媒１３に流入する主炭化水素の濃度が低いときを示しており、図６Ｂは炭化水素供給弁１５から主炭化水素が供給されて排気浄化触媒１３に流入する主炭化水素の濃度が高くなっているときを示している。
さて、図４からわかるように排気浄化触媒１３に流入する排気ガスの空燃比は一瞬を除いてリーンに維持されているので排気浄化触媒１３に流入する排気ガスは通常酸素過剰の状態にある。従って排気ガス中に含まれるＮＯは図６Ａに示されるように白金５１上において酸化されてＮＯ２となり、次いでこのＮＯ２は白金５１から電子を供与されてＮＯ２−となる。従って白金５１上には多量のＮＯ２−が生成されることになる。このＮＯ２−は活性が強く、以上このＮＯ２−を活性ＮＯ２＊と称する。
一方、炭化水素供給弁１５から主炭化水素が供給されると図３に示されるようにこの主炭化水素は排気浄化触媒１３内において改質され、ラジカルとなる。その結果、図６Ｂに示されるように活性ＮＯ２＊周りの炭化水素濃度が高くなる。ところで活性ＮＯ２＊が生成された後、活性ＮＯ２＊周りの酸素濃度が高い状態が一定時間以上継続すると活性ＮＯ２＊は酸化され、硝酸イオンＮＯ３−の形で塩基性層５３内に吸収される。しかしながらこの一定時間が経過する前に活性ＮＯ２＊周りの炭化水素濃度が高くされると図６Ｂに示されるように活性ＮＯ２＊は白金５１上においてラジカル状の炭化水素ＨＣと反応し、それにより還元性中間体が生成される。この還元性中間体は塩基性層５３の表面上に付着又は吸着される。
なお、このとき最初に生成される還元性中間体はニトロ化合物Ｒ−ＮＯ２であると考えられる。このニトロ化合物Ｒ−ＮＯ２は生成されるとニトリル化合物Ｒ−ＣＮとなるがこのニトリル化合物Ｒ−ＣＮはその状態では瞬時しか存続し得ないのでただちにイソシアネート化合物Ｒ−ＮＣＯとなる。このイソシアネート化合物Ｒ−ＮＣＯは加水分解するとアミン化合物Ｒ−ＮＨ２となる。ただしこの場合、加水分解されるのはイソシアネート化合物Ｒ−ＮＣＯの一部であると考えられる。従って図６Ｂに示されるように塩基性層５３の表面上に保持又は吸着されている還元性中間体の大部分はイソシアネート化合物Ｒ−ＮＣＯおよびアミン化合物Ｒ−ＮＨ２であると考えられる。
一方、図６Ｂに示されるように生成された還元性中間体の周りを炭化水素ＨＣが取り囲んでいると還元性中間体は炭化水素ＨＣに阻まれてそれ以上反応が進まない。この場合、排気浄化触媒１３に流入する主炭化水素の濃度が低下せしめられ、それによって酸素濃度が高くなると還元性中間体周りの炭化水素は酸化せしめられる。その結果、図６Ａに示されるように還元性中間体と活性ＮＯ２＊とが反応するようになる。このとき活性ＮＯ２＊は還元性中間体Ｒ−ＮＣＯやＲ−ＮＨ２と反応してＮ２，ＣＯ２，Ｈ２Ｏとなり、斯くしてＮＯＸが浄化されることになる。
このように排気浄化触媒１３では、排気浄化触媒１３に流入する主炭化水素の濃度を高くすることにより還元性中間体が生成され、排気浄化触媒１３に流入する主炭化水素の濃度を低くして酸素濃度を高くすることにより活性ＮＯ２＊が還元性中間体と反応し、ＮＯＸが浄化される。即ち、排気浄化触媒１３によりＮＯＸを浄化するには排気浄化触媒１３に流入する主炭化水素の濃度を周期的に変化させる必要がある。
無論、この場合、還元性中間体を生成するのに十分高い濃度まで主炭化水素の濃度を高める必要があり、生成された還元性中間体を活性ＮＯ２＊と反応させるのに十分低い濃度まで主炭化水素の濃度を低下させる必要がある。即ち、排気浄化触媒１３に流入する主炭化水素の濃度を予め定められた範囲内の振幅で変化させる必要がある。なお、この場合、生成された還元性中間体が活性ＮＯ２＊と反応するまで、十分な量の還元性中間体Ｒ−ＮＣＯやＲ−ＮＨ２を塩基性層５３上に、即ち塩基性排気ガス流通表面部分２４上保持しておかなければならず、そのために塩基性の排気ガス流通表面部分２４が設けられている。
一方、主炭化水素の供給周期を長くすると主炭化水素が供給された後、次に主炭化水素が供給されるまでの間において酸素濃度が高くなる期間が長くなり、従って活性ＮＯ２＊は還元性中間体を生成することなく硝酸塩の形で塩基性層５３内に吸収されることになる。これを回避するためには排気浄化触媒１３に流入する主炭化水素の濃度を予め定められた範囲内の周期でもって変化させることが必要となる。
そこで本発明による実施例では、排気ガス中に含まれるＮＯＸと改質された炭化水素とを反応させて窒素および炭化水素を含む還元性中間体Ｒ−ＮＣＯやＲ−ＮＨ２を生成するために排気浄化触媒１３の排気ガス流通表面上には貴金属触媒５１，５２が担持されており、生成された還元性中間体Ｒ−ＮＣＯやＲ−ＮＨ２を排気浄化触媒１３内に保持しておくために貴金属触媒５１，５２周りには塩基性の排気ガス流通表面部分５４が形成されており、塩基性の排気ガス流通表面部分５４上に保持された還元性中間体Ｒ−ＮＣＯやＲ−ＮＨ２の還元作用によりＮＯＸが還元され、主炭化水素濃度の変化周期は還元性中間体Ｒ−ＮＣＯやＲ−ＮＨ２を生成し続けるのに必要な変化周期とされる。因みに図４に示される例では噴射間隔が３秒とされている。
主炭化水素濃度の変化周期、即ち主炭化水素ＨＣの供給周期を上述の予め定められた範囲内の周期よりも長くすると塩基性層５３の表面上から還元性中間体Ｒ−ＮＣＯやＲ−ＮＨ２が消滅し、このとき白金Ｐｔ５３上において生成された活性ＮＯ２＊は図７Ａに示されるように硝酸イオンＮＯ３−の形で塩基性層５３内に拡散し、硝酸塩となる。即ち、このときには排気ガス中のＮＯＸは硝酸塩の形で塩基性層５３内に吸収されることになる。
一方、図７ＢはこのようにＮＯＸが硝酸塩の形で塩基性層５３内に吸収されているときに排気浄化触媒１３内に流入する排気ガスの空燃比が理論空燃比又はリッチにされた場合を示している。この場合には排気ガス中の酸素濃度が低下するために反応が逆方向（ＮＯ３−→ＮＯ２）に進み、斯くして塩基性層５３内に吸収されている硝酸塩は順次硝酸イオンＮＯ３−となって図７Ｂに示されるようにＮＯ２の形で塩基性層５３から放出される。次いで放出されたＮＯ２は排気ガス中に含まれる炭化水素ＨＣおよびＣＯによって還元される。
図８は塩基性層５３のＮＯＸ吸収能力が飽和する少し前に排気浄化触媒１３に流入する排気ガスの空燃比（Ａ／Ｆ）ｉｎを一時的にリッチにするようにした場合を示している。なお、図８に示す例ではこのリッチ制御の時間間隔は１分以上である。この場合には排気ガスの空燃比（Ａ／Ｆ）ｉｎがリーンのときに塩基性層５３内に吸収されたＮＯＸは、排気ガスの空燃比（Ａ／Ｆ）ｉｎが一時的にリッチにされたときに塩基性層５３から一気に放出されて還元される。従ってこの場合には塩基性層５３はＮＯＸを一時的に吸収するための吸収剤の役目を果している。
なお、このとき塩基性層５３がＮＯＸを一時的に吸着する場合もあり、従って吸収および吸着の双方を含む用語として吸蔵という用語を用いるとこのとき塩基性層５３はＮＯＸを一時的に吸蔵するためのＮＯＸ吸蔵剤の役目を果していることになる。即ち、この場合には、機関吸気通路、燃焼室２および排気浄化触媒１３上流の排気通路内に供給された空気および燃料（炭化水素）の比を排気ガスの空燃比と称すると、排気浄化触媒１３は、排気ガスの空燃比がリーンのときにはＮＯＸを吸蔵し、排気ガス中の酸素濃度が低下すると吸蔵したＮＯＸを放出するＮＯＸ吸蔵触媒として機能している。
図９は、排気浄化触媒１３をこのようにＮＯＸ吸蔵触媒として機能させたときのＮＯＸ浄化率を示している。なお、図９の横軸は排気浄化触媒１３の触媒温度ＴＣを示している。排気浄化触媒１３をＮＯＸ吸蔵触媒として機能させた場合には図９に示されるように触媒温度ＴＣが３００℃から４００℃のときには極めて高いＮＯＸ浄化率が得られるが触媒温度ＴＣが４００℃以上の高温になるとＮＯＸ浄化率が低下する。
このように触媒温度ＴＣが４００℃以上になるとＮＯＸ浄化率が低下するのは、触媒温度ＴＣが４００℃以上になると硝酸塩が熱分解してＮＯ２の形で排気浄化触媒１３から放出されるからである。即ち、ＮＯＸを硝酸塩の形で吸蔵している限り、触媒温度ＴＣが高いときに高いＮＯＸ浄化率を得るのは困難である。しかしながら図４から図６Ａ，６Ｂに示される新たなＮＯＸ浄化方法では図６Ａ，６Ｂからわかるように硝酸塩は生成されず或いは生成されても極く微量であり、斯くして図５に示されるように触媒温度ＴＣが高いときでも高いＮＯＸ浄化率が得られることになる。
そこで本発明では、機関排気通路内に排気ガス中に含まれるＮＯＸと改質された炭化水素とを反応させるための排気浄化触媒１３を配置し、排気浄化触媒１３の排気ガス流通表面上には貴金属触媒５１，５２が担持されていると共に貴金属触媒５１，５２周りには塩基性の排気ガス流通表面部分５４が形成されており、排気浄化触媒１３は、排気浄化触媒１３に流入する炭化水素の濃度を予め定められた範囲内の振幅および予め定められた範囲内の周期でもって変化させると排気ガス中に含まれるＮＯＸを還元する性質を有すると共に、炭化水素濃度の振動周期をこの予め定められた範囲よりも長くすると排気ガス中に含まれるＮＯＸの吸蔵量が増大する性質を有しており、機関運転時に排気浄化触媒１３に流入する主炭化水素の濃度を予め定められた範囲内の振幅および予め定められた範囲内の周期でもって変化させ、それにより排気ガス中に含まれるＮＯＸを排気浄化触媒１３において還元するようにしている。
即ち、図４から図６Ａ，６Ｂに示されるＮＯＸ浄化方法は、貴金属触媒を担持しかつＮＯＸを吸収しうる塩基性層を形成した排気浄化触媒を用いた場合において、ほとんど硝酸塩を形成することなくＮＯＸを浄化するようにした新たなＮＯＸ浄化方法であると言うことができる。実際、この新たなＮＯＸ浄化方法を用いた場合には排気浄化触媒１３をＮＯＸ吸蔵触媒として機能させた場合に比べて、塩基性層５３から検出される硝酸塩は極く微量である。なお、この新たなＮＯＸ浄化方法を以下、第１のＮＯＸ浄化方法と称する。
次に図１０から図１５を参照しつつこの第１のＮＯＸ浄化方法についてもう少し詳細に説明する。
図１０は図４に示される空燃比（Ａ／Ｆ）ｉｎの変化を拡大して示している。なお、前述したようにこの排気浄化触媒１３への流入排気ガスの空燃比（Ａ／Ｆ）ｉｎの変化は同時に排気浄化触媒１３に流入する炭化水素の濃度変化を示している。なお、図１０においてΔＨＡは排気浄化触媒１３に流入する主炭化水素ＨＣの濃度変化の振幅を示しており、ΔＴＡは排気浄化触媒１３に流入する主炭化水素濃度の変化周期を示している。
更に図１０において（Ａ／Ｆ）ｂは機関出力を発生するための燃焼ガスの空燃比を示すベース空燃比を表している。言い換えるとこのベース空燃比（Ａ／Ｆ）ｂは炭化水素の供給を停止したときに排気浄化触媒１３に流入する排気ガスの空燃比を表している。一方、図１０においてＸは、主炭化水素の供給時において生成された活性ＮＯ２＊が硝酸塩の形で塩基性層５３内に吸蔵されることなく還元性中間体の生成のために使用される空燃比（Ａ／Ｆ）ｉｎの上限を表しており、活性ＮＯ２＊と改質された主炭化水素とを反応させて還元性中間体を生成させるには空燃比（Ａ／Ｆ）ｉｎをこの空燃比の上限Ｘよりも低くすることが必要となる。
別の言い方をすると図１０のＸは活性ＮＯ２＊と改質された主炭化水素とを反応させて還元性中間体を生成させるのに必要な主炭化水素の濃度の下限を表しており、還元性中間体を生成するためには主炭化水素の濃度をこの下限Ｘよりも高くする必要がある。この場合、還元性中間体が生成されるか否かは活性ＮＯ２＊周りの酸素濃度と主炭化水素濃度との比率、即ち空燃比（Ａ／Ｆ）ｉｎで決まり、還元性中間体を生成するのに必要な上述の空燃比の上限Ｘを以下、要求最小空燃比と称する。
図１０に示される例では要求最小空燃比Ｘがリッチとなっており、従ってこの場合には還元性中間体を生成するために主炭化水素供給時における空燃比（Ａ／Ｆ）ｉｎが瞬時的に要求最小空燃比Ｘ以下に、即ちリッチにされる。これに対し、図１１に示される例では要求最小空燃比Ｘがリーンとなっている。この場合、主炭化水素供給時には空燃比（Ａ／Ｆ）ｉｎをリーンに維持しつつ空燃比（Ａ／Ｆ）ｉｎを周期的に低下させることによって還元性中間体が生成される。
ところで、要求最小空燃比Ｘがリッチになるかリーンになるかは排気浄化触媒１３の酸化力による。この場合、排気浄化触媒１３は例えば貴金属５１の担持量を増大させれば酸化力が強まり、酸性を強めれば酸化力が強まる。従って排気浄化触媒１３の酸化力は貴金属５１の担持量や酸性の強さによって変化することになる。
さて、酸化力が強い排気浄化触媒１３を用いた場合に図１１に示されるように主炭化水素供給時における空燃比（Ａ／Ｆ）ｉｎをリーンに維持しつつ空燃比（Ａ／Ｆ）ｉｎを周期的に低下させると、空燃比（Ａ／Ｆ）ｉｎが低下せしめられたときに主炭化水素が完全に酸化されてしまい、その結果還元性中間体を生成することができなくなる。これに対し、酸化力が強い排気浄化触媒１３を用いた場合に図１０に示されるように主炭化水素供給時における空燃比（Ａ／Ｆ）ｉｎを周期的にリッチにさせると空燃比（Ａ／Ｆ）ｉｎがリッチにされたときに主炭化水素は完全に酸化されることなく部分酸化され、即ち主炭化水素が改質され、斯くして還元性中間体が生成されることになる。従って酸化力が強い排気浄化触媒１３を用いた場合には要求最小空燃比Ｘはリッチにする必要がある。
一方、酸化力が弱い排気浄化触媒１３を用いた場合には図１１に示されるように主炭化水素供給時における空燃比（Ａ／Ｆ）ｉｎをリーンに維持しつつ空燃比（Ａ／Ｆ）ｉｎを周期的に低下させると、主炭化水素は完全に酸化されずに部分酸化され、即ち主炭化水素が改質され、斯くして還元性中間体が生成される。これに対し、酸化力が弱い排気浄化触媒１３を用いた場合に図１０に示されるように主炭化水素供給時における空燃比（Ａ／Ｆ）ｉｎを周期的にリッチにさせると多量の主炭化水素は酸化されることなく単に排気浄化触媒１３から排出されることになり、斯くして無駄に消費される炭化水素量が増大することになる。従って酸化力が弱い排気浄化触媒１３を用いた場合には要求最小空燃比Ｘはリーンにする必要がある。
即ち、要求最小空燃比Ｘは図１２に示されるように排気浄化触媒１３の酸化力が強くなるほど低下させる必要があることがわかる。このように要求最小空燃比Ｘは排気浄化触媒１３の酸化力によってリーンになったり、或いはリッチになったりするが、以下要求最小空燃比Ｘがリッチである場合を例にとって、排気浄化触媒１３に流入する主炭化水素の濃度変化の振幅や排気浄化触媒１３に流入する主炭化水素濃度の変化周期について説明する。
さて、ベース空燃比（Ａ／Ｆ）ｂが大きくなると、即ち主炭化水素が供給される前の排気ガス中の酸素濃度が高くなると空燃比（Ａ／Ｆ）ｉｎを要求最小空燃比Ｘ以下とするのに必要な主炭化水素の供給量が増大し、それに伴なって還元性中間体の生成に寄与しなかった余剰の炭化水素量も増大する。この場合、ＮＯＸを良好に浄化するためには前述したようにこの余剰の炭化水素を酸化させる必要があり、従ってＮＯＸを良好に浄化するためには余剰の炭化水素量が多いほど多量の酸素が必要となる。
この場合、排気ガス中の酸素濃度を高めれば酸素量を増大することができる。従ってＮＯＸを良好に浄化するためには、主炭化水素が供給される前の排気ガス中の酸素濃度が高いときには主炭化水素供給後の排気ガス中の酸素濃度を高める必要がある。即ち、主炭化水素が供給される前の排気ガス中の酸素濃度が高いほど主炭化水素濃度の振幅を大きくする必要がある。
図１３は同一のＮＯＸ浄化率が得られるときの、主炭化水素が供給される前の排気ガス中の酸素濃度と主炭化水素濃度の振幅ΔＨＡとの関係を示している。図１３から同一のＮＯＸ浄化率を得るためには主炭化水素が供給される前の排気ガス中の酸素濃度が高いほど主炭化水素濃度の振幅ΔＨＡを増大させる必要があることがわかる。即ち、同一のＮＯＸ浄化率を得るにはベース空燃比（Ａ／Ｆ）ｂが高くなるほど主炭化水素濃度の振幅ΔＨＡを増大させることが必要となる。別の言い方をすると、ＮＯＸを良好に浄化するためにはベース空燃比（Ａ／Ｆ）ｂが低くなるほど主炭化水素濃度の振幅ΔＨＡを減少させることができる。
ところでベース空燃比（Ａ／Ｆ）ｂが最も低くなるのは加速運転時であり、このとき主炭化水素濃度の振幅ΔＨＡが２００ｐｐｍ程度あればＮＯＸを良好に浄化することができる。ベース空燃比（Ａ／Ｆ）ｂは通常、加速運転時よりも大きく、従って図１４に示されるように主炭化水素濃度の振幅ΔＨＡが２００ｐｐｍ以上であれば良好なＮＯＸ浄化率を得ることができることになる。
一方、ベース空燃比（Ａ／Ｆ）ｂが最も高いときには主炭化水素濃度の振幅ΔＨＡを１００００ｐｐｍ程度にすれば良好なＮＯＸ浄化率が得られることがわかっている。従って本発明では主炭化水素濃度の振幅ΔＨＡの予め定められた範囲が２００ｐｐｍから１００００ｐｐｍとされている。
また、主炭化水素濃度の変化周期ΔＴＡが長くなると主炭化水素が供給された後、次に主炭化水素が供給される間、活性ＮＯ２＊周りの酸素濃度が高くなる。この場合、主炭化水素濃度の変化周期ΔＴＡが５秒程度よりも長くなると活性ＮＯ２＊が硝酸塩の形で塩基性層５３内に吸収され始め、従って図１５に示されるように主炭化水素濃度の変化周期ΔＴＡが５秒程度よりも長くなるとＮＯＸ浄化率が低下することになる。従って主炭化水素濃度の変化周期ΔＴＡは５秒以下とする必要がある。
一方、主炭化水素濃度の変化周期ΔＴＡがほぼ０．３秒以下になると供給された主炭化水素が排気浄化触媒１３の排気ガス流通表面上に堆積し始め、従って図１５に示されるように主炭化水素濃度の変化周期ΔＴＡがほぼ０．３秒以下になるとＮＯＸ浄化率が低下する。そこで本発明では主炭化水素濃度の変化周期が０．３秒から５秒の間とされている。
さて、本発明では炭化水素供給弁１５からの主炭化水素供給量および供給時期を変化させることによって主炭化水素濃度の振幅ΔＨＡおよび供給周期ΔＴＡが機関の運転状態に応じた最適値となるように制御される。この場合、本発明による実施例ではこの最適な主炭化水素濃度の振幅ΔＨＡを得ることのできる主炭化水素供給量ＷＡが燃料噴射弁３からの噴射量Ｑおよび機関回転数Ｎの関数として図１６Ａに示すようなマップの形で予めＲＯＭ３２内に記憶されている。
次に予備炭化水素の供給がＮＯＸ浄化率に与える影響について説明する。
前述したように主炭化水素が供給されるとこの主炭化水素は触媒５１によって炭素数の少ないラジカル状の炭化水素となる。このラジカル状の炭化水素は触媒５１上において活性ＮＯ２＊と反応し、それによって還元性中間体Ｒ−ＮＣＯやＲ−ＮＨ２が生成される。次いでこの還元性中間体は活性ＮＯ２＊と反応し、Ｎ２，ＣＯ２，Ｈ２Ｏとなる。
ところが主炭化水素が供給されたときに排気浄化触媒１３上に、即ち触媒５１に多量の酸素が残存していると触媒５１上においてラジカル状の炭化水素と活性ＮＯ２＊との反応をひき起す触媒表面部分の数が少なくなり、斯くして還元性中間体の生成量が低下することになる。還元性中間体の生成量が低下するとＮＯＸ浄化率が低下し、この場合、排気浄化触媒１３上に残存する酸素量が多いほどＮＯＸ浄化率が低下する。
このようにＮＯＸ浄化率が低下するのを阻止するためには排気浄化触媒１３上に残存している酸素を主炭化水素の供給前に除去しておく必要がある。そこで本発明では排気浄化触媒１３上の残存酸素を除去するために主炭化水素の供給前に予備炭化水素を供給するようにしている。このように主炭化水素の供給前に予備炭化水素を供給すると排気浄化触媒１３上に残存している酸素はこの予備炭化水素を酸化するために消費され、斯くして主炭化水素が供給されるときに排気浄化触媒１３上に残存している酸素の量を減少させることができる。その結果、高いＮＯＸ浄化率を確保することができることになる。
即ち、前述したように排気浄化触媒１３は、排気浄化触媒１３に流入する炭化水素の濃度を予め定められた範囲内の振幅および予め定められた範囲内の周期でもって変化させると排気ガス中に含まれるＮＯＸを還元する性質を有すると共に、炭化水素濃度の振動周期をこの予め定められた範囲よりも長くすると排気ガス中に含まれるＮＯＸの吸蔵量が増大する性質を有しており、この場合において本発明では図１０および１１に示されるように、機関運転時に排気浄化触媒１３に流入する炭化水素の濃度を予め定められた範囲内の振幅ΔＨＡおよび予め定められた範囲内の周期ΔＴＡでもって変化させる主濃度変化作用を行わせ、更に各主濃度変化作用が行われる前に各主濃度変化作用時の振幅ΔＨＡよりも小さな振幅ΔＨＢでもって炭化水素濃度を変化させる予備濃度変化作用を行わせるようにしている。
この場合、主炭化水素の供給によって主濃度変化作用が行われ、予備炭化水素の供給によって予備濃度変化作用が行われる。ところで予備炭化水素はリッチ雰囲気のときよりもリーン雰囲気のときの方が燃焼しやすく、従って排気浄化触媒１３上の残存酸素はリーン雰囲気のときの方が消費されやすいことになる。従って本発明による実施例では図１０および図１１に示されるように予備炭化水素の供給は、即ち予備濃度変化作用は排気浄化触媒１３に流入する排気ガスの空燃比をリーンに維持しつつ行われる。
一方、予備炭化水素は残存酸素を消費することを主目的としているので予備炭化水素の供給量は主炭化水素の供給量に比べてかなり少なく、従って図１０および１１に示されるように予備炭化水素による炭化水素濃度の振幅ΔＨＢは主炭化水素による炭化水素濃度の振幅ΔＨＡよりもかなり小さい。
一方、図１３には予備炭化水素が供給される前の排気ガス中の酸素濃度と予備炭化水素の振幅ΔＨＢとの関係が示されている。ところで予備炭化水素が供給される前の排気ガス中の酸素濃度が高いほど排気浄化触媒１３上の残存酸素量は増大する。従って予備炭化水素が供給される前の排気ガス中の酸素濃度が高いほど予備炭化水素の振幅ΔＨＢが大きくされる。本発明による実施例では最適な予備炭化水素濃度の振幅ΔＨＢを得ることのできる炭化水素供給量ＷＢが燃料噴射弁３からの噴射量Ｑおよび機関回転数Ｎの関数として図１６Ｂに示すようなマップの形で予めＲＯＭ３２内に記憶されている。
なお、この予備炭化水素を供給すると炭化水素の酸化反応熱によって排気浄化触媒１３の温度が上昇する。即ち、予備炭化水素は排気浄化触媒１３を昇温させるという機能も有している。
次に図１７Ａから１７Ｃを参照しつつ主炭化水素の供給周期ΔＴＡおよび予備炭化水素の供給周期ΔＴＢについて説明する。
図１７Ａは排気浄化触媒１３内に生成される還元性中間体の保持時間を示している。排気浄化触媒１３の温度ＴＣが上昇すると還元性中間体は排気浄化触媒１３から脱離しやすくなる。従って図１７Ａに示されるように還元性中間体の保持時間は排気浄化触媒１３の温度ＴＣが高くなるほど短かくなる。ところで還元性中間体の保持時間が主炭化水素の供給周期ΔＴＡよりも短かくなると還元性中間体の存在しない状態が生じ、その結果ＮＯＸ浄化率が低下してしまう。このときＮＯＸ浄化率が低下しないようにするためには主炭化水素の供給周期ΔＴＡを還元性中間体の保持時間と等しくするか、或いは還元性中間体の保持時間よりも短かくする必要がある。
そこで本発明による実施例では図１７Ｂに示されるように主炭化水素の供給周期ΔＴＡは排気浄化触媒１３の温度ＴＣが高くなるほど短かくされる。即ち、主濃度変化作用の行われる周期ΔＴＡは排気浄化触媒１３の温度ＴＣが高くなるほど短かくされる。本発明による実施例ではこの主炭化水素の供給周期ΔＴＡは燃料噴射弁３からの噴射量Ｑおよび機関回転数Ｎの関数として図１７Ｃに示すマップの形で予めＲＯＭ３２内に記憶されている。
一方、図１０および１１に示されるように予備炭化水素の供給作用は主炭化水素の供給作用のΔＴＢ時間前に行われる。この予備炭化水素の供給は前述したように主として残存酸素を消費するためであり、この場合この時間ΔＴＢは機関の運転状態に応じて特に変える必要性がない。従って本発明による実施例では予備炭化水素の供給は主炭化水素の供給が行われる予め定められた一定時間ΔＴＢ前に行われる。即ち、予備濃度変化作用は各主濃度変化作用が行われる予め定められた一定時間ΔＴＢ前に行われる。
次に図１８から図２１を参照しつつ排気浄化触媒１３をＮＯＸ吸蔵触媒として機能させた場合のＮＯＸ浄化方法について具体的に説明する。このように排気浄化触媒１３をＮＯＸ吸蔵触媒として機能させた場合のＮＯＸ浄化方法を以下、第２のＮＯＸ浄化方法と称する。
この第２のＮＯＸ浄化方法では図１８に示されるように塩基性層５３に吸蔵された吸蔵ＮＯＸ量ΣＮＯＸが予め定められた許容量ＭＡＸを越えたときに排気浄化触媒１３に流入する排気ガスの空燃比（Ａ／Ｆ）ｉｎが一時的にリッチにされる。排気ガスの空燃比（Ａ／Ｆ）ｉｎがリッチにされると排気ガスの空燃比（Ａ／Ｆ）ｉｎがリーンのときに塩基性層５３内に吸蔵されたＮＯＸが塩基性層５３から一気に放出されて還元される。それによってＮＯＸが浄化される。
吸蔵ＮＯＸ量ΣＮＯＸは例えば機関から排出されるＮＯＸ量から算出される。本発明による実施例では機関から単位時間当り排出される排出ＮＯＸ量ＮＯＸＡが噴射量Ｑおよび機関回転数Ｎの関数として図１９に示すようなマップの形で予めＲＯＭ３２内に記憶されており、この排出ＮＯＸ量ＮＯＸＡから吸蔵ＮＯＸ量ΣＮＯＸが算出される。この場合、前述したように排気ガスの空燃比（Ａ／Ｆ）ｉｎがリッチにされる周期は通常１分以上である。
この第２のＮＯＸ浄化方法では図２０に示されるように燃焼室２内に燃料噴射弁３から燃焼用燃料Ｑに加え、追加の燃料ＷＲを噴射することによって排気浄化触媒１３に流入する排気ガスの空燃比（Ａ／Ｆ）ｉｎがリッチにされる。なお、図２０の横軸はクランク角を示している。この追加の燃料ＷＲは燃焼はするが機関出力となって現われない時期に、即ち圧縮上死点後ＡＴＤＣ９０°の少し手前で噴射される。この燃料量ＷＲは噴射量Ｑおよび機関回転数Ｎの関数として図２１に示すようなマップの形で予めＲＯＭ３２内に記憶されている。無論、この場合炭化水素供給弁１５からの炭化水素の供給量を増大させることによって排気ガスの空燃比（Ａ／Ｆ）ｉｎをリッチにすることもできる。
次に本発明によるＮＯＸの放出制御について説明する。
図２２は第１のＮＯＸ浄化方法によりＮＯＸの浄化処理が行われているときのＮＯＸ浄化率と、第２のＮＯＸ浄化方法が用いられているときの排気浄化触媒１３へのＮＯＸ吸蔵率とを示している。本発明ではＮＯＸ浄化率がＮＯＸ吸蔵率よりも高いときには、即ち排気浄化触媒１３の温度ＴＣが比較的高いときには第１のＮＯＸ浄化方法が用いられ、ＮＯＸ吸蔵率がＮＯＸ浄化率よりも高いとき、即ち排気浄化触媒１３の温度ＴＣが低いときには第２のＮＯＸ浄化方法が用いられる。従って機関始動時には通常第２のＮＯＸ浄化方法が用いられ、排気浄化触媒１３の温度ＴＣが高くなると第２のＮＯＸ浄化方法から第１のＮＯＸ浄化方法に切換えられる。
図２３にＮＯＸ浄化制御ルーチンを示す。このルーチンは一定時間毎の割込みによって実行される。
図２３を参照するとまず初めにステップ６０において第２のＮＯＸ浄化方法が用いられているときの排気浄化触媒１３へのＮＯＸ吸蔵率が第１のＮＯＸ浄化方法によりＮＯＸの浄化処理が行われているときのＮＯＸ浄化率よりも低いか否かが判別される。ＮＯＸ吸蔵率がＮＯＸ浄化率よりも高いときにはステップ６１に進んで第２のＮＯＸ浄化方法が実行される。
即ち、ステップ６１では図１９に示すマップから単位時間当りの排出ＮＯＸ量ＮＯＸＡが算出される。次いでステップ６２ではΣＮＯＸに排出ＮＯＸ量ＮＯＸＡを加算することによって吸蔵ＮＯＸ量ΣＮＯＸが算出される。次いでステップ６３では吸蔵ＮＯＸ量ΣＮＯＸが許容値ＭＡＸを越えたか否かが判別される。ΣＮＯＸ＞ＭＡＸになるとステップ６４に進んで図２１に示すマップから追加の燃料量ＷＲが算出され、追加の燃料の噴射作用が行われる。次いでステップ６５ではΣＮＯＸがクリアされる。
これに対し、ステップ６０においてＮＯＸ吸蔵率よりもＮＯＸ浄化率が高いと判別されたときにはステップ６６に進んで第１のＮＯＸ浄化方法が実行される。即ち、ステップ６６では図１６Ａに示すマップから主炭化水素の供給量ＷＡが算出され、次いでステップ６７では図１６Ｂに示すマップから予備炭化水素の供給量ＷＢが算出される。次いでステップ６８では図１７Ｃに示すマップから主炭化水素の供給周期ΔＴＡが算出される。次いでステップ６９では算出されたＷＡ，ＷＢΔ，ＴＡの値、およびΔＴＢの値を用いて予備炭化水素と主炭化水素の供給が行われる。
なお、別の実施例として排気浄化触媒１３上流の機関排気通路内に炭化水素を改質させるための酸化触媒を配置することもできる。
【符号の説明】
【０００９】
４…吸気マニホルド
５…排気マニホルド
７…排気ターボチャージャ
１２…排気管
１３…排気浄化触媒
１４…パティキュレートフィルタ
１５…炭化水素供給弁
【図１】
2012029189.tif 000003
【図２】
2012029189.tif 000004
【図３】
2012029189.tif 000005
【図４】
2012029189.tif 000006
【図５】
2012029189.tif 000007
【図６Ａ】
2012029189.tif 000008
【図６Ｂ】
2012029189.tif 000009
【図７Ａ】
2012029189.tif 000010
【図７Ｂ】
2012029189.tif 000011
【図８】
2012029189.tif 000012
【図９】
2012029189.tif 000013
【図１０】
2012029189.tif 000014
【図１１】
2012029189.tif 000015
【図１２】
2012029189.tif 000016
【図１３】
2012029189.tif 000017
【図１４】
2012029189.tif 000018
【図１５】
2012029189.tif 000019
【図１６Ａ】
2012029189.tif 000020
【図１６Ｂ】
2012029189.tif 000021
【図１７Ａ】
2012029189.tif 000022
【図１７Ｂ】
2012029189.tif 000023
【図１７Ｃ】
2012029189.tif 000024
【図１８】
2012029189.tif 000025
【図１９】
2012029189.tif 000026
【図２０】
2012029189.tif 000027
【図２１】
2012029189.tif 000028
【図２２】
2012029189.tif 000029
【図２３】
2012029189.tif 000030
【国際調査報告】
2012029189.tif 000031
2012029189.tif 000032
2012029189.tif 000033
2012029189.tif 000034